(57)【要約】【課題】コーナーパネルの結露を抑制することが可能な室内ユニットおよび化粧パネルを提供する。【解決手段】コーナーパネル４２は、吹出口３７を形成する側壁４２ｅを備え、フラップ６０を閉じた状態において、フラップ６０が側壁４２ｅによって側方から覆われる。コーナーパネル４２は、その下面４２ｆに、第１の案内部材７０の側方に位置する第１面４２ｈと、第２の案内部材８０の側方に位置するとともに第１面４２ｈよりも下方に突出する第２面４２ｊと、第１面４２ｈ及び第２面４２ｊのそれぞれを接続する湾曲面４２ｋとを備える。第１面４２ｈ、第２面４２ｊ及び湾曲面４２ｋから段部４２ｇが形成されている。【選択図】図６
2018031498.tif 000002
【特許請求の範囲】
【請求項１】
熱交換器及び送風機が収容された室内ユニット本体と、前記室内ユニット本体と組み合わされて天井に設置される化粧パネルとを備え、前記化粧パネルに備える吹出口から温調後の空気を被調和室に吹き出す室内ユニットにおいて、
前記化粧パネルは、その四隅に配置されるコーナーパネルと、隣り合う前記コーナーパネル間に位置する前記吹出口と、前記吹出口に開閉可能に設けられるフラップとを備え、
前記フラップは、温調後の空気を被調和室に案内する第１の案内部材と、前記第１の案内部材の外面側に設けられて温調後の空気を前記第１の案内部材の外面に案内する第２の案内部材と、を備え、
前記コーナーパネルは、前記吹出口を形成する側壁を備え、前記フラップを閉じた状態において、前記フラップが前記側壁によって側方から覆われ、
前記コーナーパネルは、その下面に、前記第１の案内部材の側方に位置する第１面と、前記第２の案内部材の側方に位置するとともに前記第１面よりも下方に突出する第２面と、前記第１面及び前記第２面のそれぞれを接続する接続面とを備え、前記第１面、前記第２面及び前記接続面から段部が形成されたことを特徴とする室内ユニット。
【請求項２】
前記第２面の外縁が、前記第２の案内部材の外縁の延長線に沿って延びていることを特徴とする請求項１に記載の室内ユニット。
【請求項３】
前記段部が、隣り合う前記吹出口間に亘って形成されていることを特徴とする請求項１又は２に記載の室内ユニット。
【請求項４】
前記接続面が、凹状の湾曲面であることを特徴とする請求項１乃至３のいずれか一項に記載の室内ユニット。
【請求項５】
前記第２面の外縁が、底面視Ｌ字状に形成されていることを特徴とする請求項２乃至４のいずれか一項に記載の室内ユニット。
【請求項６】
熱交換器及び送風機が収容された室内ユニットに組み合わされて天井に設置される化粧パネルであって、
前記化粧パネルは、その四隅に配置されるコーナーパネルと、隣り合う前記コーナーパネル間に位置する前記吹出口と、前記吹出口に開閉可能に設けられるフラップとを備え、
前記フラップは、前記室内ユニットによって温調された後の空気を被調和室に案内する第１の案内部材と、前記第１の案内部材の外面側に設けられて温調後の空気を前記第１の案内部材の外面に案内する第２の案内部材と、を備え、
前記コーナーパネルは、前記吹出口を形成する側壁を備え、前記フラップを閉じた状態において、前記フラップが前記側壁によって側方から覆われ、
前記コーナーパネルは、その下面に、前記第１の案内部材の側方に位置する第１面と、前記第２の案内部材の側方に位置するとともに前記第１面よりも下方に突出する第２面と、前記第１面及び前記第２面のそれぞれを接続する接続面とを備え、前記第１面、前記第２面及び前記接続面から段部が形成されたことを特徴とする化粧パネル。
【発明の詳細な説明】
【技術分野】
【０００１】
本発明は、室内ユニットおよび化粧パネルに関する。
【背景技術】
【０００２】
従来、化粧パネルに、吸込口と吹出口とを備え、吹出口内に、風向を規制する上顎部及び下顎部と、温調空気の吹出方向を調整する上下風向ベーンとが配置された天井埋込型室内ユニットが開示されている（例えば、特許文献１参照）。
【先行技術文献】
【特許文献】
【０００３】
【特許文献１】特開２０１０−２８１５３９号公報
【発明の概要】
【発明が解決しようとする課題】
【０００４】
しかしながら、前記従来の構成において、上下風向ベーンを水平吹き角度にした場合に、吹出口から水平の気流が吹き出すため、この水平の気流が、化粧パネルの四隅に配置されたコーナーパネル側にも吹出してコーナーパネルに結露が発生する課題を有していた。
本発明は、上記従来の課題を解決するもので、コーナーパネルの結露を抑制することが可能な室内ユニットおよび化粧パネルを提供することを目的とする。
【課題を解決するための手段】
【０００５】
前記従来の課題を解決するために、本発明の室内ユニットは、熱交換器及び送風機が収容された室内ユニット本体と、前記室内ユニット本体と組み合わされて天井に設置される化粧パネルとを備え、前記化粧パネルに備える吹出口から温調後の空気を被調和室に吹き出す天井埋込型室内ユニットにおいて、前記化粧パネルは、その四隅に配置されるコーナーパネルと、隣り合う前記コーナーパネル間に位置する前記吹出口と、前記吹出口に開閉可能に設けられるフラップとを備え、前記フラップは、温調後の空気を被調和室に案内する第１の案内部材と、前記第１の案内部材の外面側に設けられて温調後の空気を前記第１の案内部材の外面に案内する第２の案内部材と、を備え、前記コーナーパネルは、前記吹出口を形成する側壁を備え、前記フラップを閉じた状態において、前記フラップが前記側壁によって側方から覆われ、前記コーナーパネルは、その下面に、前記第１の案内部材の側方に位置する第１面と、前記第２の案内部材の側方に位置するとともに前記第１面よりも下方に突出する第２面と、前記第１面及び前記第２面のそれぞれを接続する接続面とを備え、前記第１面、前記第２面及び前記接続面から段部が形成されたことを特徴としたものである。
これによって、コーナーパネルの下面に第１面、第２面及び接続面からなる段部が形成され、コーナーパネルの側壁がフラップを側方から覆うことになり、温調後の空気がコーナーパネル側に吹き出ることが低減される。
【０００６】
また、本発明の室内ユニットは、前記第２面の外縁が、前記第２の案内部材の外縁の延長線に沿って延びていることを特徴としたものである。
これによって、第２面側の側壁によって第２の案内部材の全体を覆い、第２の案内部材によって案内される温調後の空気がコーナーパネル側に吹き出ることが一層低減される。
また、本発明の室内ユニットは、前記段部が、隣り合う前記吹出口間に亘って形成されていることを特徴としたものである。
これによって、化粧パネルの表面形状に一体感が生じ、意匠性が高められる。
【０００７】
また、本発明の室内ユニットは、前記接続面が、凹状の湾曲面であることを特徴としたものである。
これによって、第２面の輪郭を稜線とすることにより、第２面が強調され、意匠性が高められる。
また、本発明の室内ユニットは、前記第２面の外縁が、底面視Ｌ字状に形成されていることを特徴としたものである。
これによって、第２面の外縁と第２の案内部材の外縁とが矩形の形状に配置され、化粧パネルの表面形状に一体感が生じて、意匠性が高められる。
【０００８】
本発明の化粧パネルは、熱交換器及び送風機が収容された室内ユニットに組み合わされて天井に設置される化粧パネルであって、前記化粧パネルは、その四隅に配置されるコーナーパネルと、隣り合う前記コーナーパネル間に位置する前記吹出口と、前記吹出口に開閉可能に設けられるフラップとを備え、前記フラップは、前記室内ユニットによって温調された後の空気を被調和室に案内する第１の案内部材と、前記第１の案内部材の外面側に設けられて温調後の空気を前記第１の案内部材の外面に案内する第２の案内部材と、を備え、前記コーナーパネルは、前記吹出口を形成する側壁を備え、前記フラップを閉じた状態において、前記フラップが前記側壁によって側方から覆われ、前記コーナーパネルは、その下面に、前記第１の案内部材の側方に位置する第１面と、前記第２の案内部材の側方に位置するとともに前記第１面よりも下方に突出する第２面と、前記第１面及び前記第２面のそれぞれを接続する接続面とを備え、前記第１面、前記第２面及び前記接続面から段部が形成されたことを特徴としたものである。
これによって、コーナーパネルの側壁がフラップを側方から覆うことになり、温調後の空気がコーナーパネル側に吹き出ることが低減される。
【発明の効果】
【０００９】
本発明の室内ユニットは、コーナーパネルの側壁がフラップを側方から覆うことによって、温調後の空気がコーナーパネル側に吹き出ることを低減することができる。これにより、コーナーパネルの表面への結露を抑制することができる。
【図面の簡単な説明】
【００１０】
【図１】本発明の実施の形態に係る空気調和装置の天井埋込型室内ユニットの断面図
【図２】天井埋込型室内ユニットの斜視図
【図３】天井埋込型室内ユニットの化粧パネルを被調和室側から見た底面図
【図４】化粧パネルのコーナーパネル、フラップ及びその周囲を示す斜視図
【図５】フラップを示す斜視図
【図６】図３の要部拡大図
【図７】図３のＶＩＩ−ＶＩＩ線断面図
【図８】図７の状態からフラップが開いた状態を示す作用図
【発明を実施するための形態】
【００１１】
第１の発明は、熱交換器及び送風機が収容された室内ユニット本体と、前記室内ユニット本体と組み合わされて天井に設置される化粧パネルとを備え、前記化粧パネルに備える吹出口から温調後の空気を被調和室に吹き出す室内ユニットにおいて、前記化粧パネルは、その四隅に配置されるコーナーパネルと、隣り合う前記コーナーパネル間に位置する前記吹出口と、前記吹出口に開閉可能に設けられるフラップとを備え、前記フラップは、温調後の空気を被調和室に案内する第１の案内部材と、前記第１の案内部材の外面側に設けられて温調後の空気を前記第１の案内部材の外面に案内する第２の案内部材と、を備え、前記コーナーパネルは、前記吹出口を形成する側壁を備え、前記フラップを閉じた状態において、前記フラップが側方から前記側壁に覆われ、前記コーナーパネルは、その下面に、前記第１の案内部材の側方に位置する第１面と、前記第２の案内部材の側方に位置するとともに前記第１面よりも下方に突出する第２面と、前記第１面及び前記第２面のそれぞれを接続する接続面とを備え、前記第１面、前記第２面及び前記接続面によって段部が形成されたことにより、コーナーパネルの側壁がフラップを側方から覆うことによって、温調後の空気がコーナーパネル側に吹き出ることが低減される。これにより、コーナーパネルの表面への結露を抑制することができる。
【００１２】
第２の発明は、前記第２面の外縁が、前記第２の案内部材の外縁の延長線に沿って延びていることにより、コーナーパネルの第２面側の側壁によって第２の案内部材の全体の側方を覆うことができ、第２の案内部材により案内される温調後の空気がコーナーパネル側に吹き出ることが一層低減されるため、コーナーパネルの表面への結露を抑制することができる。
第３の発明は、前記段部が、隣り合う前記吹出口間に亘って形成されていることにより、化粧パネルの表面形状に統一感を持たせることができ、意匠性を高めることができる。
【００１３】
第４の発明は、前記接続面が、凹状の湾曲面であることにより、第２面の輪郭を稜線として第２面を強調することができ、意匠性を高めることができる。
第５の発明は、前記第２面の外縁が、底面視Ｌ字状に形成されていることにより、化粧パネルの表面形状に一体感を持たせることができ、意匠性を高めることができる。
【００１４】
第６の発明は、熱交換器及び送風機が収容された室内ユニットに組み合わされて天井に設置される化粧パネルであって、前記化粧パネルは、その四隅に配置されるコーナーパネルと、隣り合う前記コーナーパネル間に位置する前記吹出口と、前記吹出口に開閉可能に設けられるフラップとを備え、前記フラップは、前記室内ユニットによって温調された後の空気を被調和室に案内する第１の案内部材と、前記第１の案内部材の外面側に設けられて温調後の空気を前記第１の案内部材の外面に案内する第２の案内部材と、を備え、前記コーナーパネルは、前記吹出口を形成する側壁を備え、前記フラップを閉じた状態において、前記フラップが前記側壁によって側方から覆われ、前記コーナーパネルは、その下面に、前記第１の案内部材の側方に位置する第１面と、前記第２の案内部材の側方に位置するとともに前記第１面よりも下方に突出する第２面と、前記第１面及び前記第２面のそれぞれを接続する接続面とを備え、前記第１面、前記第２面及び前記接続面から段部が形成されたことにより、コーナーパネルの側壁がフラップを側方から覆うことによって、温調後の空気がコーナーパネル側に吹き出ることが低減される。これにより、コーナーパネルの表面への結露を抑制することができる。
【００１５】
以下、本発明の実施の形態について、図面を参照しながら説明する。
図１は、本発明の実施の形態に係る空気調和装置の天井埋込型室内ユニット１０の断面図である。図２は、天井埋込型室内ユニット１０の斜視図である。図３は、天井埋込型室内ユニット１０の化粧パネル３３を被調和室側から見た底面図である。
なお、以下の説明において、上下、内外とは、化粧パネル３３を室内ユニット本体１４に取り付けた状態における天井埋込型室内ユニット１０を基準として説明している。また、温調後の空気が吹き出される空間を被調和室としている。
【００１６】
図１〜図３に示すように、天井埋込型室内ユニット（室内ユニット）１０は、被調和室の天井１１と、天井１１の下方に設置された天井板１２との間の天井空間１３に設置される。天井埋込型室内ユニット１０は、室内ユニット本体１４と、室内ユニット本体１４の下側開口を覆う化粧パネル３３とを備える。
室内ユニット本体１４の外側角部には、吊り用金具１８が取り付けられている。室内ユニット本体１４は、吊り用金具１８に連結された複数の吊りボルト１５によって天井１１から吊り下げられた状態に設置される。室
内ユニット本体１４の内側には、発泡スチロール製の断熱部材１６が、室内ユニット本体１４の側板１７の内面に接した状態を維持して配置され、側板１７における結露を防止している。
【００１７】
室内ユニット本体１４の上板１９の下面には、ファンモータ２１が取り付けられ、ファンモータ２１には、ファンモータ２１の駆動により回転駆動される回転シャフト２２が下方に延びるように設けられている。回転シャフト２２の下端部分には、遠心ファン２３が取り付けられ、ファンモータ２１と遠心ファン２３とが送風機２０を構成している。
【００１８】
遠心ファン２３は、環状の板状に形成された主板２４を備える。主板２４の中心部分には、下方に延出する逆円錐台形状のモータ収容部２５が形成されている。
モータ収容部２５には、ファンモータ２１が収容され、ファンモータ２１の回転シャフト２２は、下方に延びてモータ収容部２５の底面に連結されている。そして、ファンモータ２１を回転駆動させることにより、回転シャフト２２を介して遠心ファン２３を回転動作させるように構成されている。
【００１９】
主板２４の下方には、シュラウド２６が設けられる。シュラウド２６は、その断面が弧状に形成され、シュラウド２６の全体が、環状に形成されている。主板２４とシュラウド２６の内周面との間には、周方向に所定間隔を開けて配置される複数の翼２７が一体に形成されている。
シュラウド２６の下方には、オリフィス２８が配置されている。オリフィス２８は、その断面が弧状に形成され、オリフィス２８の全体が、環状に形成されている。
【００２０】
送風機２０と断熱部材１６との間には、送風機２０の側方を取り囲んで、平面視にてほぼ四角形状に曲折形成された熱交換器３０が配置されている。
熱交換器３０は、冷房運転時には冷媒の蒸発器として機能し、暖房運転時には冷媒の凝縮器として機能する。熱交換器３０は、室内ユニット本体１４の内部に吸い込まれる被調和室内の空気と冷媒との熱交換を行って、冷房運転時には、被調和室内の空気を冷却し、暖房運転時には、被調和室内の空気を加熱することができるように構成されている。
【００２１】
熱交換器３０の下側には、熱交換器３０の下面に対応するようにドレンパン３１が配置されている。ドレンパン３１は、熱交換器３０にて発生するドレン水を受けるためのものである。ドレンパン３１の中央部分には、送風機２０の吸い込み口３２が形成されている。
【００２２】
室内ユニット本体１４の下面には、室内ユニット本体１４の下側開口を覆って化粧パネル３３が取り付けられている。
化粧パネル３３の主要部を構成するパネル本体４０の中央部分には、ドレンパン３１の吸い込み口３２に連通する吸い込み口３４が形成されている。吸い込み口３４には、吸い込みグリル３５が着脱可能に取り付けられている。吸い込みグリル３５の室内ユニット本体１４側のパネル本体４０には、空気中の塵などを除去するためのフィルタ３６が設けられている。
【００２３】
底面視矩形とされたパネル本体４０において、吸い込み口３４の外側に且つパネル本体４０の４つの各辺に沿った位置には、温調後の空気を被調和室に送る吹出口３７がそれぞれ形成されている。吹出口３７は、パネル本体４０の各辺に対応する四方向へ吹き出し可能に形成され、各吹出口３７には、吹出方向を変更するフラップ６０がそれぞれ設けられている。
【００２４】
図３に示すように、化粧パネル３３（詳しくは、パネル本体４０）の四隅には、パネル本体４０に着脱可能とされたコーナーパネル４２が設けられ、隣り合う一対のコーナーパネル４２，４２の間に吹出口３７が設けられている。コーナーパネル４２の一部は、吹出口３７の一部を形成している。
吹出口３７は、フラップ６０の内方（化粧パネル３３の中央側）、外方（化粧パネル３３の外縁側）及び両側方（コーナーパネル４２側）にそれぞれ形成された内側壁４０ａ、外側壁４０ｂ及び側壁４０ｃ，４０ｃによって、底面視矩形に形成されている。
【００２５】
コーナーパネル４２は、パネル本体４０の四隅に下方から重ねられ、底面視略矩形に形成されている。コーナーパネル４２は、外縁側の一対の外辺４２ａ，４２ａと、吹出口３７の側壁４０ｃ，４０ｃに一致又は略一致する一対の内辺４２ｂ，４２ｂとを備える。一対の外辺４２ａ，４２ａは、角部４２ｃが形成されたＬ字状に形成され、一対の内辺４２ｂ，４２ｂ間には、吸い込みグリル３５を避けるように切欠き４２ｄが形成されている。
コーナーパネル４２は、内辺４２ｂ，４２ｂを形成する側壁４２ｅ，４２ｅが形成され、側壁４２ｅ，４２ｅは、パネル本体４０の側壁４０ｃ，４０ｃと上下に重なって、吹出口３７の一部を構成している。
パネル本体４０は、吹出口３７の外方（化粧パネル３３の外縁側）に外パネル部４０ｄ、吹出口３７と吸い込みグリル３５との間に内パネル部４０ｅをそれぞれ備える。
【００２６】
側壁４２ｅは、外パネル部４０ｄ、吹出口３７及び内パネル部４０ｅの側方に亘って形成されている。
複数の内パネル部４０ｅのうち、一つの内パネル部４０ｅの一端部は、凹状のマーク４０ｆが形成されている。
マーク４０ｆの近傍に配置されたコーナーパネル４２の内側に、熱交換器３０（図１参照）に冷媒配管を接続する配管接続部が配置されている。マーク４０ｆの近傍のコーナーパネル４２を外すことによって、前述の配管接続部のメンテナンスを行うことが可能になる。即ち、上記マーク４０ｆは、配管接続部の位置を示す目印である。マーク４０ｆは、複数の桟を有する吸い込みグリル３５に近い位置に設けられるので、目立ちにくい。
【００２７】
コーナーパネル４２は、底面視にて、その下面４２ｆに、各吹出口３７を繋ぐようにＬ字状に延びる段部４２ｇが形成されている。段部４２ｇは、角部４２ｃ側に形成された第１面４２ｈと、第１面４２ｈに対して吸い込みグリル３５側に形成されるとともに第１面４２ｈよりも下方に突出する第２面４２ｊとを備える。
第１面４２ｈ及び第２面４２ｊは、それぞれ平面に形成され、第１面４２ｈは、パネル本体４０の外パネル部４０ｄの下面と面一に形成されている。
図３に示したように、段部４２ｇは、隣り合う吹出口３７，３７間に亘って形成されている。この構成によれば、隣り合う吹出口３７，３７と、その間の段部４２ｇとにより、化粧パネル３３の表面形状に一体感を持たせることができ、意匠性を高めることができる。
【００２８】
図４は、化粧パネル３３のコーナーパネル４２、フラップ６０及びその周囲を示す斜視図である。なお、化粧パネル３３については、その下面を上方に向けて示している。
コーナーパネル４２は、パネル本体４０の下側に重なるように配置されている。
コーナーパネル４２は、その下面４２ｆに、第１面４２ｈと、第２面４２ｊと、第１面４２ｈ及び第２面４２ｊのそれぞれを接続する凹状の湾曲面４２ｋと、第２面４２ｊよりも下方に突出した平面状の第３面４２ｍとを備える。
【００２９】
第１面４２ｈ、第２面４２ｊ及び湾曲面４２ｋは、段部４２ｇを形成している。フラップ６０が図４に示すように閉じた状態においては、段部４２ｇは、フラップ６０よりも下方（図の上方）に突出している。第３面４２ｍは、第２面４２ｊに対して吸い込みグリル３５側に配置され、第３面４２ｍとパネル本体４０の内パネル部４０ｅの下面とは面一に形成されている。
【００３０】
上記したように、第１面４２ｈ、第２面４２ｊ及び第３面４２ｍを階段状に設けることによって、化粧パネル３３の下面の立体感を強調することができ、意匠性を向上させることができる。
図４に示したように、第１面４２ｈと第２面４２ｊとは、凹状の湾曲面４２ｋによって接続されている。この構成によれば、第２面４２ｊの輪郭（詳しくは、外縁部４２ｑ（図６参照））を稜線とすることができ、第２面４２ｊを強調することができて、意匠性を高めることができる。
【００３１】
図５は、フラップ６０を示す斜視図である。なお、フラップ６０については、その下面を上方に向けて示している。
フラップ６０は、第１の案内部材７０と、第１の案内部材７０の外面７０Ａよりも下方（図５の上方）に突出するように配置された第２の案内部材８０と、第１の案内部材７０及び第２の案内部材８０のそれぞれを連結する接続部９０Ａとによって一体に構成されるものである。
【００３２】
第１の案内部材７０は、温調後に室内ユニット本体１４（図１参照）から吹き出される空気を案内する内面７０Ｂと、内面７０Ｂに対して外側に位置する外面７０Ａとを有している。内面７０Ｂ及び外面７０Ａの大部分は、平坦面とされている。内面７０Ｂに断熱材は設けられていない。
第２の案内部材８０は、温調後に室内ユニット本体１４から吹き出される空気を案内する内面８０Ｂと、内面８０Ｂに対して外側に位置する外面８０Ａとを有している。内面８０Ｂ及び外面８０Ａは、平坦面とされている。
【００３３】
接続部９０Ａは、フラップ６０の長手方向に所定の間隔を開けて設けられた複数の接続部材９０と、両端の接続部材９０から所定の間隔を開けてフラップ６０の両端に設けられた接続部材９１，９１とからなる。接続部材９０，９１は、第１の案内部材７０と第２の案内部材８０とを隔てて一体に連結している。
接続部材９１は、第１の案内部材７０の外面７０Ａから上方に突出するリブ９１ａを備え、リブ９１ａにより、第１の案内部材７０と第２の案内部材８０との連結を補強するとともに第１の案内部材７０の剛性を高めている。
【００３４】
第１の案内部材７０の両側の端部と、第１の案内部材７０の長手方向中間部には、内面７０Ｂから下方に突出する凸部７４がそれぞれ設けられ、各凸部７４に貫通するように回動軸６１が取付けられている。回動軸６１の両端部は、パネル本体４０（図３及び図４参照）とコーナーパネル４２（図３参照）との間に挟まれて固定される軸受に回転可能に支持されている。更に、回動軸６１の一方の端部は、コーナーパネル４２の裏側に設けられる駆動用モータ（不図示）の回転軸に連結されている。
第１の案内部材７０、第２の案内部材８０、接続部材９１及び凸部７４の各側面は、フラップ６０の側面６０ａを構成している。側面６０ａは、フラップ６０の両端にそれぞれ形成されている。
【００３５】
図６は、図３の要部拡大図である。
コーナーパネル４２の第２面４２ｊ（第２面４２ｊには、その形状の理解を容易にするためにクロスハッチングを施している。）は、第３面４２ｍとの境界を形成する内縁部４２ｐと、内縁部４２ｐに対して吸い込みグリル３５とは反対側に隔てて配置された外縁部４２ｑとを備える。
内縁部４２ｐは、吹出口３７の内側壁４０ａの延長線上又は略延長線上に位置する直線状の内縁直線部４２ｒ，４２ｒと、内縁直線部４２ｒ，４２ｒの端部同士を繋ぐ円弧状の内縁円弧部４２ｓとからなる。
【００３６】
外縁部４２ｑは、第２の案内部材８０の外縁８０ｃの延長線上又は延長線よりも化粧パネル３３の外縁３３ａ側に位置する直線状の外縁直線部４２ｔ，４２ｔと、外縁直線部４２ｔ，４２ｔ同士を繋ぐ円弧状の外縁円弧部４２ｕとからなる。外縁直線部４２ｔは、第２の案内部材８０の外縁８０ｃの延長線に沿って延びている。
上記の内縁部４２ｐ及び外縁部４２ｑは、それぞれ底面視Ｌ字状に形成され、第２面４２ｊ自体も、底面視Ｌ字状に形成されている。
【００３７】
コーナーパネル４２の湾曲面４２ｋは、第２面４２ｊの外縁部４２ｑに沿って形成されている。
上記したコーナーパネル４２の側壁４２ｅは、フラップ６０の側面６０ａ全体を側方から覆っている。詳しくは、側壁４２ｅのうちの第１面４２ｈ及び湾曲面４２ｋに対応する部分は、フラップ６０の第１の案内部材７０を側方から覆い、側壁４２ｅのうちの第２面４２ｊに対応する部分は、フラップ６０の第２の案内部材８０を側方から覆っている。
【００３８】
図６に示したように、第２面４２ｊの外縁としての外縁直線部４２ｔは、第２の案内部材８０の外縁８０ｃの延長線に沿って延びている。この構成によれば、第２面４２ｊ側の側壁４２ｅを用いて第２の案内部材８０の全体を覆うことができ、第２の案内部材８０によって案内される温調後の空気を側方のコーナーパネル４２側により一層吹き出しにくくすることができる。これにより、コーナーパネル４２の表面への結露を一層抑制することができる。
また、図３及び図６に示したように、第２面４２ｊの外縁部４２ｑは、底面視Ｌ字状に形成されている。この構成によれば、第２面４２ｊの外縁部４２ｑと第２の案内部材８０の外縁８０ｃとが、化粧パネル３３の全体として環状の形状、即ち矩形に配置され、化粧パネルの表面形状に一体感を生じさせることができ、意匠性を高めることができる。
【００３９】
図７は、図３のＶＩＩ−ＶＩＩ線断面図である。
第１の案内部材７０は、図７に示すようにフラップ６０を閉じた状態においては、パネル本体４０の外パネル部４０ｄと面一になる平坦な平坦部７２と、平坦部７２に屈曲部７３を介して一体に接続された傾斜部７６とからなる案内部７８とを備える。傾斜部７６は、平坦部７２に対して略３０°傾斜している。
案内部７８の内面７０Ｂには、凸部７４が設けられている。凸部７４は、回動軸６１が貫通されるとともに固定された部分である。
【００４０】
吹出口３７の外側壁４０ｂには、吹出口３７内に延びる板状の軸支部材３９が設けられ、軸支部材３９に回動軸６１が回動可能に支持されている。
傾斜部７６の端部には接続部材９０，９１（接続部材９１については図５参照）を介して第２の案内部材８０が連結されている。
フラップ６０を閉じた状態においては、第２の案内部材８０は、第１の案内部材７０の案内部７８よりも下方に突出するとともに第１の案内部材７０よりも化粧パネル３３の中央側（吸い込みグリル３５（図３参照）側）に位置する。
【００４１】
第１の案内部材７０の傾斜部７６と第２の案内部材８０とは、略平行に配置され、傾斜部７６と第２の案内部材８０との間には、フラップ間隙Ｓ１が設けられている。フラップ間隙Ｓ１は、室内ユニット本体１４（図１参照）から吹き出される温調後の空気が通過する部分である。
フラップ６０を閉じた状態においては、第１の案内部材７０の内縁７０ｃと第２の案内部材８０の外縁８０ｃとは、上下方向に略重なるように構成されている。
また、フラップ６０を閉じた状態においては、第２の案内部材８０の内縁８０ｄと吹出口３７の内側壁４０ａとの間には、間隙Ｓ２が設けられている。間隙Ｓ２を設けることによって、フラップ６０に第２の案内部材８０を備えても、フラップ６０の開閉に支障をきたすことがない。また、間隙Ｓ２からは、温調後の空気を被調和室に吹き出すことが可能になる。
【００４２】
コーナーパネル４２の第１面４２ｈ、湾曲面４２ｋ及び第２面４２ｊにおけるそれぞれの側縁は、側壁４２ｅ（図４参照）の下縁の一部を形成している。
湾曲面４２ｋと第１の案内部材７０の傾斜部７６とは、側面視にて上下に大きく離れ、湾曲面４２ｋと傾斜部７６との間に側面視略三角形の空間Ｓ３が形成される。従って、側壁４２ｅ（図６参照）において空間Ｓ３の側方に位置する部分の面積が比較的大きいので、フラップ間隙Ｓ１を通過した空気の流れを整流しやすくなる。
湾曲面４２ｋは、断面円弧状に凹ませた部分であり、第１面４２ｈよりも上方に配置されていないが、湾曲面４２ｋを、案内部７８よりも下方に配置しながら第１面４２ｈよりも上方に位置するように凹ませても良い。
【００４３】
以上に述べたフラップ６０の作用を次に説明する。
フラップ６０を閉じた状態においては、主としてフラップ間隙Ｓ１から空気が吹き出される。フラップ６０を閉じた状態において空気を吹き出す場合として、例えば、冷暖房運転の停止中に送風機２０（図１参照）だけを作動させることにより室内ユニット本体１４の内部に通風して室内ユニット本体１４を乾燥させる内部クリーン運転や、送風を弱くして冷暖房運転を行わせる弱運転が挙げられる。
このようなフラップ６０を閉じた状態では、吹き出される空気が第２の案内部材８０の内面８０Ｂに案内され、フラップ間隙Ｓ１を通して被調和室に送風される。
案内部７８が屈曲部７３において屈曲して形成され、第２の案内部材８０が第１の案内部材７０の内縁１１２の近傍に設けられているので、フラップ間隙Ｓ１を通過した空気は、第２の案内部材８０の内面８０Ｂに案内される。そして、矢印Ａ方向に吹き出されるとともに、第１の案内部材７０の外面７０Ａ付近に沿う方向の矢印Ｂ方向にも吹き出される。
【００４４】
コーナーパネル４２は、図中に二点鎖線によって示されている。フラップ６０を閉じた状態では、コーナーパネル４２の第１面４２ｈは、第１の案内部材７０の案内部７８と面一か又は案内部７８よりも下方に配置される。また、湾曲面４２ｋは、第１の案内部材７０よりも下方に配置されている。更に、第２面４２ｊは、第２の案内部材８０の下端と同一高さか又は第２の案内部材８０よりも下方に配置されている。
コーナーパネル４２の側壁４２ｅ（図６参照）は、上記した第１面４２ｈ、湾曲面４２ｋ及び第２面４２ｊから上方に延びるように形成されているため、フラップ６０の第１の案内部材７０及び第２の案内部材８０は、側方から側壁４２ｅで覆われる。これにより、矢印Ａ方向及び矢印Ｂ方向に吹き出される温調後の空気は、コーナーパネル４２の表面に流れにくくなる。
【００４５】
上記の図３、図６及び図７に示したように、コーナーパネル４２は、吹出口３７を形成する側壁４２ｅを備え、フラップ６０を閉じた状態においては、フラップ６０が側方から側壁４２ｅに覆われる。コーナーパネル４２は、その下面４２ｆに、第１の案内部材７０の側方に位置する第１面４２ｈと、第２の案内部材８０の側方に位置するとともに第１面４２ｈよりも下方に突出する第２面４２ｊとを備える。第１面４２ｈと第２面４２ｊと湾曲面４２ｋとによって段部４２ｇが形成されている。段部４２ｇは、側壁４２ｅの下縁から水平方向に延びている。この構成によれば、第１面４２ｈ及び第２面４２ｊを備える段部４２ｇを形成し、フラップ６０をコーナーパネル４２の側壁４２ｅで側方から覆うことによって、温調後の空気をコーナーパネル４２側に吹き出しにくくすることができる。これにより、コーナーパネル４２の表面への結露を抑制することができる。
【００４６】
また、コーナーパネル４２の下面４２ｆに段部４２ｇを形成することにより、コーナーパネル４２の下面４２ｆを平坦にするのに比べて、コーナーパネル４２の剛性を高めることができる。従って、コーナーパネル４２の各部を薄肉に形成することができ、コーナーパネル４２の軽量化及びコスト削減を図ることができる。
また、フラップ６０においては、第１の案内部材７０の外面７０Ａからの第２の案内部材８０の高さを確保することができ、第２の案内部材８０によって案内される温調後の空気量を確保することができる。
【００４７】
図８は、図７の状態からフラップ６０が開いた状態を示す作用図である。
フラップ６０を開いた状態（図７の状態から６０°開いた状態）において、温調後の空気は、第１の案内部材７０の内面７０Ｂに案内されて、矢印Ｃ方向に吹き出される。また、温調後のフラップ間隙Ｓ１を通過した空気は、第２の案内部材８０の内面８０Ｂに案内され、矢印Ｄ方向に吹き出されるとともに、第１の案内部材７０の外面７０Ａ付近に沿う方向である矢印Ｅ方向にも吹き出される。この場合も、コーナーパネル４２の側壁４２ｅによって、温調後の空気が、コーナーパネル４２の表面側に流れるのを抑制することができる。
【００４８】
以上、各実施の形態に基づいて本発明を説明したが、あくまでも本発明の一実施の態様を例示するものであるから、本発明の趣旨を逸脱しない範囲において任意に変更、及び応用が可能である。
【産業上の利用可能性】
【００４９】
以上のように、本発明に係る天井埋込型室内ユニットは、建物内に設置するだけでなく、車両や船舶、航空機等の空調を必要とする密閉空間を有するものにも適用できる。
【符号の説明】
【００５０】
１０  天井埋込型室内ユニット（室内ユニット）
１４  室内ユニット本体
２０  送風機
３０  熱交換器
３３  化粧パネル
３７  吹出口
４２  コーナーパネル
４２ｅ  コーナーパネルの側壁
４２ｆ  コーナーパネルの下面
４２ｇ  段部
４２ｈ  第１面
４２ｊ  第２面
４２ｋ  湾曲面
４２ｑ  外縁部（第２面の外側縁）
６０  フラップ
７０  第１の案内部材
７０Ａ  第１の案内部材の外面
８０  第２の案内部材
８０ｃ  第２の案内部材の外縁（第２の案内部材の外側縁）
【図１】
2018031498.tif 000003
【図２】
2018031498.tif 000004
【図３】
2018031498.tif 000005
【図４】
2018031498.tif 000006
【図５】
2018031498.tif 000007
【図６】
2018031498.tif 000008
【図７】
2018031498.tif 000009
【図８】
2018031498.tif 000010